(57)【要約】  沈殿池の水中に設置され、下方が開放されるとともにその内部には水を収容する空間を有し、その内壁面の少なくとも一部が下方側に面して傾斜するように形成されたフードを備え、該フードの頂部ないし頂部付近には該フード内に取り込んだ水を排水する排水管を備えた水中及び水面の浮遊物除去装置により、沈殿池において完全に沈降しきらない浮遊物を効果的に除去することができる沈降物・浮遊物除去装置を提供する。
2019187355.tif 000002
【特許請求の範囲】
【請求項１】
沈殿池の水中に設置され、下方が開放されるとともにその内部には水を収容する空間を有し、その内壁面の少なくとも一部が下方側に面して傾斜するように形成されたフードを備え、該フードの頂部ないし頂部付近には該フード内に取り込んだ水を排水する排水管を備えた水中及び水面の沈降物・浮遊物除去装置。
【請求項２】
前記フードは、その頂部には排出孔を、下部には下方へ開放された取り込み口をそれぞれ備え、該取り込み口の周縁より該排出孔へと収斂しながら延伸する天壁を備え、該フード内の空間と連通するように該排出孔に連接された排水管とを備えた請求項１に記載の水中及び水面の沈降物・浮遊物除去装置。
【請求項３】
前記天壁の下端より下方へ側壁が連設されていることを特徴とする請求項１または２に記載の水中及び水面の沈降物・浮遊物除去装置。
【請求項４】
前記側壁の下端からフードの外側へ傾斜して延伸する羽根部が連設されていることを特徴とする請求項３に記載の水中及び水面の沈降物・浮遊物除去装置。
【請求項５】
前記フードは、下辺部へ向けて互いに離間しながら延在するように上辺部において連設された一対の天壁を有し、該天壁の左右両辺部には、該連設部から所定の高さまで形成された側壁を備え、該連設部に沿って延在し、その周壁に開口部が形成されるとともにその両端部が前記側壁を貫通してフード外に突出する排水管とを備えた請求項１に記載の水中及び水面の沈降物・浮遊物除去装置。
【請求項６】
前記排水管の一方もしくは両方の端部には、開口を閉塞するためのキャップ部が設けられていることを特徴とする請求項５に記載の水中及び水面の沈降物・浮遊物除去装置。
【請求項７】
複数の前記フードを上下に重ねて設け、上部のフードはその下方に配置されたフードと排水管により連結されていることを特徴とする請求項１ないし６のいずれかに記載の水中及び水面の沈降物・浮遊物除去装置。
【請求項８】
上下のフードを連結する前記排水管には開口部が形成されていることを特徴とする請求項７に記載の水中及び水面の沈降物・浮遊物除去装置。
【請求項９】
前記フードには、フード内の空間を水平方向に分割するとともに、上下方向に延伸する流路集合体を設けたことを特徴とする請求項１ないし７のいずれかに記載の水中及び水面の沈降物・浮遊物除去装置。
【請求項１０】
前記流路集合体は仕切り板で区画形成された複数の流路であり、該仕切り板とフードの側壁には横方向に突出するフィンが設けられていることを特徴とする請求項９に記載の水中及び水面の沈降物・浮遊物除去装置。
【請求項１１】
前記フードの下方あるいは内部に散気管を設けたことを特徴とする請求項１ないし１０のいずれかに記載の水中及び水面の沈降物・浮遊物除去装置。
【請求項１２】
下向きの前記フードと上向きの前記フードを、所定の間隔を空けて互いに対向するように設けたことを特徴とする請求項１ないし１１のいずれかに記載の水中及び水面の沈降物・浮遊物除去装置。
【請求項１３】
前記下向きのフードと前記上向きのフードは流路集合体を備え、対向するフードとフードの間の水の流路は高さ方向に蛇行するように形成されていることを特徴とする請求項１２に記載の水中及び水面の沈降物・浮遊物除去装置。
【請求項１４】
前記下向きのフードと前記上向きのフードは流路集合体を備え、下向きのフードと上向きのフードの流路集合体に対してその上部と下部とが固定された排水管により互いに連結されていることを特徴とする請求項１２に記載の水中及び水面の沈降物・浮遊物除去装置。
【請求項１５】
フード内部の空間には複数の開口部を有する集水部を備え、該集水部は、その上端部において前記排水管内において延伸するように設けられている内管部に連接されていることを特徴とする請求項１ないし４のいずれかに記載の水中及び水面の沈降物・浮遊物除去装置。
【請求項１６】
複数の前記フードを水の流れに対して前後方向に複数連続して設置したことを特徴とする請求項１ないし１５のいずれかに記載の水中及び水面の沈降物・浮遊物除去装置。
【請求項１７】
複数の前記フードを平面視で縦方向、横方向、斜め方向に連続する升目状に設置したことを特徴とする請求項１ないし１６のいずれかに記載の水中及び水面の沈降物・浮遊物除去装置。
【発明の詳細な説明】
【技術分野】
【０００１】
本発明は、浄水処理設備において、水中及び水面の沈降物や浮遊物を効果的に除去する装置に関するものである。
【背景技術】
【０００２】
従来の浄水処理において、多くの沈殿池では、濁質等を沈降させ、集水トラフにより上澄み水をろ過池に運ぶ仕組みを取っている（特許文献１、２）。【０００３】
しかし、凝集不良や流速等、様々な要因により沈降しない浮遊物が存在する。それらの浮遊物が集水トラフでろ過池へ運ばれると、ろ過池に負担が発生する。【０００４】
また、傾斜板等、浮遊物の沈降を促進する機器などがあるものの（特許文献３、４）、比重の小さな浮遊物は沈殿しにくく、それらの機器により浮遊物を完全に沈降させることは困難であった。【０００５】
さらに、従来は容量が大きな貯水タンクや高架水槽等では定期的に水中ロボット等を投入し、底部の堆積物を除去する必要があった。
【先行技術文献】
【特許文献】
【０００６】
【特許文献１】特開２００９−６１４０７
【特許文献２】特開２００７−６９１８１
【特許文献３】特開平１１−３４７３１６
【特許文献４】特開２００５−１３８９２
【発明の概要】
【発明が解決しようとする課題】
【０００７】
そこで本発明は、従来の浄水処理設備のかかる欠点を克服し、沈殿池において完全に沈降しきらない浮遊物を効果的に除去することができる水中及び水面の沈降物・浮遊物除去装置の提供をその課題とするものである。
【課題を解決するための手段】
【０００８】
本発明は、上記課題を解決するものであり、沈殿池の水中に設置され、下方が開放されるとともにその内部には水を収容する空間を有し、その内壁面の少なくとも一部が下方側に面して傾斜するように形成されたフードを備え、該フードの頂部ないし頂部付近には該フード内に取り込んだ水を排水する排水管を備えた水中及び水面の沈降物・浮遊物除去装置である。【０００９】
また本発明は、前記フードはその頂部には排出孔を、下部には下方へ開放する取り込み口をそれぞれ備え、該取り込み口の周縁より該排出孔へと収斂しながら延伸する天壁を備え、該フード内の空間と連通するように該排出孔から上方へ連接された排水管とを備えた水中及び水面の沈降物・浮遊物除去装置である。【００１０】
また本発明は、前記フードは下辺部へ向けて互いに離間しながら延在するように上辺部において連設された一対の天壁を有し、該天壁の左右両辺部には、該連設部から所定の高さまで形成された側壁を備え、該連設部に沿って延在し、その周壁に開口部が形成されるとともにその両端部が前記側壁を貫通してフード外に突出する排水管とを備えた水中及び水面の沈降物・浮遊物除去装置である。
【発明の効果】
【００１１】
本発明にかかる水中及び水面の沈降物・浮遊物除去装置は、その内壁面の少なくとも一部が下方側に面して傾斜するように形成された天壁を有するフードにより、比重の小さな浮遊物は天壁の頂部方向に集まり、頂部ないし頂部付近に設けた排水管内へと効率的に誘導して沈降しきらない水中及び水面の浮遊物を効果的に除去することができる。さらに、天壁の上面が傾斜板の役割を果たし、フロック等の沈降を促進させることができる。  
【図面の簡単な説明】
【００１２】
【図１】（ａ）本発明に係る水中及び水面の沈降物・浮遊物除去装置の斜視図。（ｂ）同断面図。
【図２】（ａ）本発明に係る水中及び水面の沈降物・浮遊物除去装置のフードの内部に流路集合体を設けたものの断面図。（ｂ）フードの内部に流路集合体を設けた異なる実施態様の断面図。（ｃ）フードの内部に流路集合体を設けた異なる実施態様の断面図。（ｄ）フードの内部に流路集合体を設けた異なる実施態様の断面図。
【図３】（ａ）本発明に係る水中及び水面の沈降物・浮遊物除去装置の異なる実施態様のフードの斜視図。（ｂ）異なる実施態様のフードの斜視図。
【図４】（ａ）本発明に係る水中及び水面の沈降物・浮遊物除去装置の異なる実施態様のフードの断面図。（ｂ）異なる実施態様のフードの断面図。（ｃ）異なる実施態様のフードの断面図。（ｄ）異なる実施態様のフードの断面図。
【図５】（ａ）本発明に係る水中及び水面の沈降物・浮遊物除去装置の流路集合体の水平断面図。（ｂ）異なる実施態様の流路集合体の水平断面図。（ｃ）異なる実施態様の流路集合体の水平断面図。（ｄ）異なる実施態様の流路集合体の水平断面図。（ｅ）異なる実施態様の流路集合体の水平断面図。
【図６】（ａ）本発明に係る水中及び水面の沈降物・浮遊物除去装置のフードに側壁を設けたものの斜視図。（ｂ）同断面図。（ｃ）同フードの内部に流路集合体を設けた断面図。（ｄ）同フードの内部に異なる実施態様の流路集合体を設けた断面図。
【図７】（ａ）本発明に係る水中及び水面の沈降物・浮遊物除去装置の流路集合体にフィンを設けたもののＡ−Ａ´断面図、（ｂ）同Ｂ−Ｂ´断面図、（ｃ）本発明に係る水中及び水面の沈降物・浮遊物除去装置の流路集合体にフィンを設けた異なる実施態様のＡ−Ａ´断面図、（ｄ）同Ｂ−Ｂ´断面図。
【図８】（ａ）本発明に係る水中及び水面の沈降物・浮遊物除去装置の側壁に設けたフィンの断面図。（ｂ）同平面図。
【図９】（ａ）本発明に係る水中及び水面の沈降物・浮遊物除去装置のフードに羽根部を設けたものの斜視図。（ｂ）同断面図。（ｃ）同羽根部の異なる実施態様の断面図。
【図１０】（ａ）本発明に係る水中及び水面の沈降物・浮遊物除去装置の複数に分割したパーツを組み立ててひとつのフードを構成するものの分割状態の断面図。（ｂ）同フードの組み立て状態の断面図。
【図１１】（ａ）本発明に係る水中及び水面の沈降物・浮遊物除去装置の設置例について模式的に表す図。（ｂ）水中及び水面の沈降物・浮遊物除去装置の異なる設置例について模式的に表す図。（ｃ）水中及び水面の沈降物・浮遊物除去装置の異なる設置例について模式的に表す図。
【図１２】本発明にかかる水中及び水面の沈降物・浮遊物除去装置の設置例で、上下に複数のフードを重ねて配置したものの断面図。
【図１３】本発明にかかる水中及び水面の沈降物・浮遊物除去装置の設置例で、下向きのフードと上向きのフードを所定の間隔を空けて互いに対向するように設けたものを模式的に表す図。
【図１４】（ａ）本発明にかかる水中及び水面の沈降物・浮遊物除去装置の設置例で、水の流れに対して前後方向に複数のフードを隙間なく連続して設置したものを模式的に表す図。（ｂ）内部に散気管を設けたフードの断面図。
【図１５】本発明にかかる水中及び水面の沈降物・浮遊物除去装置の設置例で、フードの下方に散気管を設けたものを模式的に表す図。
【図１６】（ａ）本発明にかかる水中及び水面の沈降物・浮遊物除去装置の設置例で、上下に複数のフードを重ねて設けたものを模式的に表す図。（ｂ）上下に複数のフードを重ねて設けた異なる実施態様のものを模式的に表す図。
【図１７】（ａ）本発明にかかる水中及び水面の沈降物・浮遊物除去装置の設置例で、上下に複数のフードを重ねて設けたものを模式的に表す図。（ｂ）図１７（ａ）のフードおよび排水管の態様を表す断面図。
【図１８】本発明にかかる水中及び水面の沈降物・浮遊物除去装置の設置例で、上下に複数のフードを重ねて設けたものを模式的に表す図。
【図１９】（ａ）本発明にかかる水中及び水面の沈降物・浮遊物除去装置の設置例で、下向きのフードと上向きのフードを所定の間隔を空けて互いに対向するように設けたものを模式的に表す図。（ｂ）下向きのフードと上向きのフードを互いに対向するように設けた異なる実施態様のものを模式的に表す図。（ｃ）下向きのフードと上向きのフードを互いに対向するように設けた異なる実施態様のものを模式的に表す図。（ｄ）下向きのフードと上向きのフードを互いに対向するように設けた異なる実施態様のものを模式的に表す図。
【図２０】（ａ）上下に複数のフードを重ねて設けたものを模式的に表す図。（ｂ）上下に複数のフードを重ねて設けた異なる実施態様のものを模式的に表す図。（ｃ）上下に複数のフードを重ねて設けた異なる実施態様のものを模式的に表す図。（ｄ）上下に複数のフードを重ねて設けた異なる実施態様のものを模式的に表す図。
【図２１】（ａ）上下に複数のフードを重ねて設けたものを模式的に表す図。（ｂ）上下に複数のフードを重ねて設けた異なる実施態様のものを模式的に表す図。（ｃ）排水管の断面図。
【図２２】（ａ）フードの内部に集水部を設けたものの断面図。（ｂ）同排水管のＡ−Ａ断面図。（ｃ）フードの内部に集水部を設けたものの異なる実施態様の断面図。（ｄ）フードの内部に集水部を設けたものの異なる実施態様の断面図。
【図２３】（ａ）本発明に係る異なる実施態様の水中及び水面の沈降物・浮遊物除去装置のフードの正面図。（ｂ）同側面図。（ｃ）同側面中央縦部分断面図。（ｄ）同正面中央縦断面図。
【図２４】（ａ）図１８の実施態様の水中及び水面の沈降物・浮遊物除去装置のフードの斜視図。（ｂ）異なる実施態様のフードの斜視図。
【図２５】（ａ）本発明に係る水中及び水面の沈降物・浮遊物除去装置の異なる実施態様のフードの側面図。（ｂ）異なる実施態様のフードの側面図。
【図２６】（ａ）本発明に係る水中及び水面の沈降物・浮遊物除去装置の異なる実施態様のフードの部分断面図。（ｂ）異なる実施態様のフードの部分断面図。
【図２７】（ａ）本発明に係る水中及び水面の沈降物・浮遊物除去装置のフードで内部に流路集合体を設けたものの断面図。（ｂ）水中及び水面の沈降物・浮遊物除去装置のフードで内部に流路集合体を設けた異なる実施態様の断面図。
【図２８】（ａ）本発明に係る水中及び水面の沈降物・浮遊物除去装置の設置例について模式的に表す図。（ｂ）水中及び水面の沈降物・浮遊物除去装置の異なる設置例について模式的に表す図。（ｃ）水中及び水面の沈降物・浮遊物除去装置の異なる設置例について模式的に表す図。
【図２９】（ａ）本発明にかかる水中及び水面の沈降物・浮遊物除去装置の設置例で、上下に複数のフードを重ねて配置したものを模式的に表す図。（ｂ）水中及び水面の沈降物・浮遊物除去装置の異なる設置例で、上下に複数のフードを重ねて配置したものを模式的に表す図。
【図３０】本発明にかかる水中及び水面の沈降物・浮遊物除去装置の異なる設置例で、上下に複数のフードを重ねて配置したものを模式的に表す図。
【図３１】本発明にかかる水中及び水面の沈降物・浮遊物除去装置の設置例で、下向きのフードと上向きのフードを所定の間隔を空けて互いに対向するように設けたものを模式的に表す図。（ｂ）水中及び水面の沈降物・浮遊物除去装置の異なる設置例で、下向きのフードと上向きのフードを所定の間隔を空けて互いに対向するように設けたものを模式的に表す図。
【図３２】（ａ）本発明にかかる水中及び水面の沈降物・浮遊物除去装置の設置例で、水の流れに対してフードの天壁が並行するように設置したものを模式的に表す図。（ｂ）水中及び水面の沈降物・浮遊物除去装置の設置例で、水の流れに対してフードの天壁が正対するように設置したものを模式的に表す図。
【図３３】本発明にかかる水中及び水面の沈降物・浮遊物除去装置の設置例で、上下に複数のフードを重ねて設けたものを模式的に表す図。
【図３４】本発明にかかる水中及び水面の沈降物・浮遊物除去装置の設置例で、上下に複数のフードを重ねて設けたものを模式的に表す図。
【発明を実施するための形態】
【００１３】
以下、本発明の水中及び水面の沈降物・浮遊物除去装置の実施態様を、図面に基づいて具体的に説明する。なお、本発明はこれら実施態様に何ら制約されるものではない。
【００１４】
本発明に係る水中及び水面の沈降物・浮遊物除去装置は、沈殿池の水中に設置され、内部に水を収容する空間を有し、下方が開放されるとともに、少なくともその内壁面の一部が下方側に面して傾斜するように形成された天壁を有するフードを備え、その頂部ないし頂部付近には該フード内に取り込んだ水を排水する排水管を備える。以下、本発明に係る水中及び水面の沈降物・浮遊物除去装置の構造について詳しく説明する。
【００１５】
図１（ａ）は、本発明に係る水中及び水面の沈降物・浮遊物除去装置の斜視図、図１（ｂ）は同断面図である。本発明に係る水中及び水面の浮遊物除去装置を構成するフード１は、内部に水を収容する空間１０１を有し、下方が開放するとともに、頂部から下部にかけて内壁面１１４が下方側に面して傾斜するように形成された天壁１１を有する。かかる天壁１１は、その頂部に排出孔１１１が形成され、その下方には該排出孔１１１よりも広い開口面積の取り込み口１１２が形成され、該取り込み口１１２の周縁１１３より該排出孔１１１へと収斂しながら延伸する。また、該排出孔１１１には、上方へ延伸するように排水管２が連接されている。排水管２は、フード１内の空間１０１に連通しており、該排水管２を介して空間１０１の水および浮遊物を沈殿池外へと排出する。
【００１６】
本実施態様のフード１は、天壁１１の外形が略円錐台状に形成されているが、天壁１１の内壁面１１４の一部ないし全部が下方側に面して傾斜するように形成されていれば外形はこれに限定されず、例えば、図３（ａ）に示すような角錐台状や、図３（ｂ）に示すようなドーム状としてもよい。このように、フード１の内壁面１１４が下方側に面して傾斜して形成され、取り込み口１１２の周縁１１３から排出孔１１１側へと収斂することにより、取り込み口１１２より空間１０１内に取り込まれた比重の小さな浮遊物は天壁１１の上部中央の排出孔１１１方向へ吸い寄せられ、排水管２内へと効果的に誘導される。さらに、天壁１１を円錐台状や角錐台状、ドーム状にすることにより天壁１１の上面が傾斜板の役割を果たし、フロック等の浮遊物の沈降を促進させることができる。なお、天壁１１の傾斜角度は特に限定されず、水平に対して１度の傾斜でもその効果を有する。
【００１７】
また、図１ないし３の態様では、天壁１１は周縁１１３から排水管２との連接部まで連続して収斂しているが、天壁１１の形状はこれに限定されず、例えば、図４（ａ）のように、排水管２との連接部の周囲は水平方向に延在する天面１８としてもよく、周縁１１３から該天面１８の縁部にかけて収斂するように形成してもよい。さらに、天壁１１のその他の形状としては、図４（ｂ）のように、天壁１１の一部に傾斜していない垂直面１９を形成しても良い。かかる垂直面１９を設けることにより、複数のフード１を上下に重ねて設けた態様の場合であっても、垂直面１９側からはフード１に邪魔されず排水管２に手が届きやすくなるため、水中での装置の設置やメンテナンス作業が容易となる。さらに、天壁１１の一部は、図４（ｃ）に示すように、その内壁面１１４が下方ではなく上方に面するように逆に傾斜するものも含む。
【００１８】
排出孔１１１に連接され、縦方向に立ち上がった排水管２は、その途中で、横方向へ延伸する排水管２１と、そのまま縦方向に立ち上がる空気抜き管２４とに分岐している。そして、排水管２１の端部の排出口２３の手前には排水弁２２が設けられ、また、空気抜き管２４の端部の排気口２６の手前には空気抜き弁２５がそれぞれ設けられている。かかる空気抜き管２４は必要に応じて設ければよく、空気抜き管２４を設けない場合は、排水管２からそのまま横方向に連続する排水管２１のみ設ければよい。本実施態様のように空気抜き管２４を設けることにより、フード１から排水管２へ入り込んだ空気を効果的に抜くことができ、スムーズに排水管２１から水を排水することが可能となる。さらに、排水管２１の一部を蛇腹構造としてもよく、このように排水管２１を蛇腹構造とすることで沈殿池３の水位が変化したときに容易にフード１の位置を調整できる。
【００１９】
なお、排水管２は、ひとつのフード１に対して１本に限定されるものではなく、必要に応じて、複数本設けてもよい。例えば、図４（ｄ）のように、取り込み口１１２の間口が広いタイプのフード１の場合、フード１の頂部の排出孔１１１に連接する排水管２の他に、天壁１１の途中に設けた排出孔１１１´に連接する排水管２´を別途設けてもよい。図４（ｄ）ではかかる排水管２´を別途２本追加しているが、本数はこれに限定されない。また、この排水管２´にも必要に応じて空気抜き管２４´を設けてよい。
【００２０】
フード１内の空間１０１は、図１（ｂ）のように完全な空洞としてもよいが、必要に応じて、図２（ａ）、（ｂ）に示すような流路集合体１４ａ、ｂを設けてもよい。かかる流路集合体１４ａ、ｂは、フード１内の空間１０１を水平方向に分割するとともに、その上部開口１４１はフード１の排出孔１１１側へ、また、その下部開口１４２はフード１の取り込み口１１２側へ向くようにフード１内において上下方向へ延伸して設けられている。
【００２１】
図２（ａ）の流路集合体１４ａは、複数本の細管を束状として形成されている。これら個々の細管は、下端部から上端部に行くにつれて直径が細くなるように形成されており、フード１の中央部分では略鉛直方向に、また、天壁１１に近づくにつれて天壁１１の傾斜に沿うように各々適切な角度で束ねられている。これにより、細管を束ねたときの全体形状がフード１の天壁１１により形成される空間１０１の形状と相似する略錐台形状になる。かかる流路集合体１４ａの上部開口１４１はフード１の排出孔１１１の下方に位置し、また、下部開口１４２はフード１の取り込み口１１２に位置するように設けられているが、これらの位置はこれに限定されない。流路集合体１４ａは、一番外周側に位置する細管の周壁をフード１の内壁面１１４に固定することにより、フード１に取り付けられている。
【００２２】
また、図２（ｂ）の流路集合体１４ｂは、個々の細管が上端部から下端部まで同じ直径に形成されるとともに、すべて鉛直方向に延伸するように束ねられ、さらに、フード１の天壁１１の傾斜に沿うように細管の長さが中央側で長く、端にいくにつれて短くなるように形成されている。これにより、細管を束ねたときの全体形状がフード１の天壁１１により形成される空間１０１の形状と相似する略錐台形状になる。さらに、流路集合体１４ｂは、フード１の内壁面１１４との間に隙間１０２を形成するように天壁１１よりもやや低く設けられている。かかる流路集合体１４ｂは、一番外側に位置する細管の周壁とフード１の内壁面１１４を固定部材１４３により固定することで取り付けられている。
【００２３】
流路集合体１４ａ、１４ｂは、図中の矢印で示すように、いずれも細管の下部開口１４２から水および浮遊物を取り込み、上部開口１４１からフード１内へと排出するが、管部集合体１４ｂの場合、一旦、隙間１０２に排出されたものがそのまま天壁１１に沿って排出孔１１１方向へと移動し、最終的に排水管２へ排出される。このような流路集合体１４を内部に設けることにより、フード１内の空間１０１の水平断面が複数の細管によって細分化され、個々の開口面積が小さくなるため、フード１による吸い上げ効果を最大限発揮させることができる。さらに、フード１内の水の流れが上方へ向かうものに整理されて横方向の流れなどの余計な対流が生じず、効果的に浮遊物を吸い上げることができる。
【００２４】
なお、流路集合体１４ａ、１４ｂは、図５（ａ）に示すように複数本の円筒状の細管を束状にして形成しているが、個々の細管の断面形状は円形に限定されず、断面形状が正方形ないし長方形の細管や図５（ｂ）に示すような正六角形の細管を束状にしたいわゆるハニカム構造、あるいはその他の断面形状でも良い。流路集合体１４ａ、１４ｂを構成する細管は、任意の太さに形成することができるが、上記の効果を最大限発揮させるために、内径を０．１ｍｍ〜５０ｍｍの範囲で形成することが好ましい。なお、個々の細管の内径は互いに同一でなくてもよく、場所によって異なるものであってもよい。また、隣接する細管同士の間は隙間を設けなくても設けてもよく、隙間を設ける場合はその間隔は特に限定されない。さらに、フード１の空間１０１において水平断面が細分化できれば細管を束状とした集合体には限定されず、図５（ｃ）、（ｄ）に示すように、複数の流路を仕切り板１４４で区画形成してもよい。あるいは、図５（ｅ）に示すように、ブロック状の部材１４５に流路となる複数本の縦孔部１４６を貫穿したものでもよい。
【００２５】
流路集合体１４は、複数本の円筒状の細管を束状にして形成した場合、細管が下部から上部に行くにつれて直径が細くなるものや、上部から下部まで同じ直径に形成されるものに限定されず、図２（ｃ）のように、細管の上部から下部に行くにつれて直径が細くなるように形成してもよい。これにより、より口径の小さい下部開口１４２側の流速が速くなり、吸い込み効果を向上させることができる。また、上部開口１４１側は口径が大きくなるため、浮遊物等が詰まりにくいという効果も得ることができる。なお、図２（ｃ）の流路集合体１４ｃは、個々の細管は水の流れを阻害しないような棒状の固定部材１４３により互いに固定されるとともに、フード１の内壁面１１４に対しても固定されている。
【００２６】
さらに、図２（ｄ）に示すように、流路集合体１４ｄとしてブロック状の部材１４５に複数本の縦孔部１４６を貫穿して形成し、個々の縦孔部１４６は上部から下部に行くにつれて直径が細くなるように形成してもよい。このものも図２（ｃ）の態様と同じ効果を有する。
【００２７】
また、フード１の天壁１１の下部には、図６に示すように、必要に応じて側壁１２を設けても良い。側壁１２は、天壁１１の下端より下方へ連設されており、本実施態様では天壁１１より垂下し、その外形が四角柱状に形成されているが、図１（ａ）のようにフード１が円錐台状の場合は、天壁１１より垂下する円柱状としてもよい。さらに、側壁１２は、鉛直方向に垂下するものに限定されず、下方外側へ広がりながら傾斜して延伸するように形成してもよい。このように、天壁１１の下部に側壁１２を設けることにより、内部の空間１０１の容量が増え、フード１内へ取り込める水量および浮遊物の量を増やすことができる。側壁１２は、任意の傾斜角度で形成することができるが、水平に対して４５度〜９０度の範囲で傾斜ないし垂直になるように設けることが好ましい。
【００２８】
側壁１２を設けた場合も、必要に応じてフード１内には流路集合体１４を設けてもよい。図６（ｃ）、（ｄ）に示すように、天壁１１内は図２（ａ）、（ｂ）と同様の構成とし、側壁１２内では、上部から下部まで同じ直径に形成された細管が鉛直方向に延伸するように束ねられ、束ねた全体形状が側壁１２の内部空間の形状と相似するように設ければよい。図６（ｄ）の流路集合体１４ｄは、一番外側に位置する細管の周壁を側壁１２の内壁に固定することによりフード１に取り付けることができる。なお、流路集合体１４ｃ、ｄは、フード１及び側壁１２に設けるのみならず、フード１内のみ、あるいは、側壁１２内のみに設けても良い。また、側壁１２内に設ける場合、その高さの一部についてのみ設けても良い。さらに、かかる流路集合体１４には、複数の小室を仕切り板１４４で区画形成したものや、ブロック状の部材１４５に複数本の縦孔部１４６を貫穿したものも含まれることは言うまでもない。
【００２９】
また、流路集合体１４の内部には、横方向へ突出するフィンを別途設けても良い。図７  （ａ）、（ｂ）の実施態様は、側壁１２内の流路集合体１４が複数の仕切り板１４７により区画形成され、該仕切り板１４７に対してフィン１４８が、側壁１２に対してフィン１４９がそれぞれ水平方向に突出して設けられている。かかるフィン１４８は、中央に立設された仕切り板１４７から左右の側壁１２方向へ突出するように設けられているのに対し、フィン１４９は、左右の側壁１２から中央の仕切り板１４７方向へと突出して設けられている。図７（ａ）に示すように、真ん中の三段のフィン１４８、１４９は異なる高さで互い違いに突出しており、さらに、最上段と最下段のフィン１４８、１４９は同じ高さで対向して突出するとともに、それらの間に水が通過する隙間１０３が形成されている。
【００３０】
図７（ｃ）、（ｄ）の実施態様では、中央に立設された仕切り板１４７に対しフィン１４８が左右の側壁１２方向へ突出するように設けられている。また、左右の側壁１２に対してフィン１４９が中央の仕切り板１４７方向へと突出して設けられている。フィン１４８、１４９は同じ高さで対向して突出するとともに、それらの間には水が通過する隙間１０３が形成されている。なお、これらのフィン同士の上下もしくは横方向の間隔は５ｃｍ以下とすることが好ましい。
【００３１】
このように、流路集合体１４の内部にフィン１４８、１４９を設けることで、主にフィン１４８、１４９の下部で渦流域が発生し、浮遊物の分離が促進される。なお、フィィン１４８、１４９は、仕切り板１４７や側壁１２のみならず、天壁１１にも設けてよい。また、フィンは図７のように水平方向に突出するものに限定されず、図８（ａ）に示すように、先端側が下方へ向くように傾斜していてもよい。かかる傾斜角度は特に限定されないが、水平に対して０〜６０度の範囲が好ましい。さらに、フィン１４８、１４９と仕切り板１４７、側壁１２との間には開口部１０４を設けてもよい。かかる開口部１０４から空気が上方へと抜けていくため、フィン１４８、１４９と仕切り板１４７もしくは側壁１２との連接箇所に空気が溜まることを防ぐことができる。なお、開口部１０４の形状や寸法は限定されず、例えば、複数の孔状に形成してもよい。
【００３２】
さらに、図９（ａ）、（ｂ）に示すように、側壁１２の下部には、必要に応じて羽根部１３を設けてもよい。かかる羽根部１３は、側壁１２の下端からフード１の外側へ傾斜して延伸するように形成されている。このように、側壁１２の下部に下方外側へと傾斜する羽根部１３を設けることにより、フロック等の浮遊物の沈降を促進させることができ、さらに、水が下部から上部へと流れる際に舞い上がる浮遊物も該羽根部１３にあたることで、フード１内へと効果的に取り込むことができる。また、かかる羽根部１３を設けた場合も、必要に応じてフード１内の空間１０１に複数本の細管を束状として形成した流路集合体１４を設けてもよい。なお、本実施態様では、羽根部１３は、対向する側壁１２に一対設けられているが、これをいずれか一方の側壁１２にのみ設けてもよく、あるいは、前後左右の全ての側壁１２に設けても良く、さらには、ひとつの側壁１２に対して羽根部１３を一部のみ設けてもよい。
【００３３】
さらに、図９（ｃ）に示すように、側壁１２と接続していない羽根部１３の左右辺部および下辺部には、羽根部１３より下方へ折り返された折り返し片１３１を設けてもよい。かかる折り返し片１３１を設けることにより、羽根部１３の下側に入った浮遊物が羽根部１３の左右もしくは下方から逃げることなく、フード１内へと効果的に取り込むことができる。
【００３４】
また、フード１は複数に分割したパーツを組み立ててひとつのフード１を構成するようにしてもよい。例えば、図１０（ａ）に示すように、フード１０ａ、１０ｂ、１０ｃからなる３つのパーツを設け、これらのパーツを組み立ててひとつのフード１を構成してもよい（図１０ｂ）。なお、図１０のフード１はブロック体の内部をくり抜いて空間１０１を形成し、かかる空間１０１と連通するように排水路１０３が形成され、かかる排水路１０３の出口に排水管２が連接されている。フード１０ａ、１０ｂ、１０ｃ内にそれぞれ設けられている流路集合体１４はいずれも側壁１２に固定されているが、フード１への固定方法はこれに限定されない。また、図１０のフード１は取り込み口１１２側が上を向くように設置した場合の態様を示しているが、フード１の向きはこれに限定されない。
【００３５】
図１１は、本発明に係る水中及び水面の沈降物・浮遊物除去装置の設置例について模式的に示している。図中、矢印で示したのは水の流れであり、本実施態様では沈殿池３内において右から左方向へと水が流れる過程において、途中に設けたフード１内に水が取り込まれ、その中の一部が排水管２から排水管２１を経て、沈殿池３外へと排水される。このとき、水中の浮遊物も効果的にフード１により集積され、排出口２３より排出される。図１１（ａ）に示すように、排水管２１は、排出口２３が沈殿池３の外部へ露出するように設けられ、特に、その排出口２３が沈殿池３内の水面Ｗよりも低い位置になるように配置されている。なお、排水管２１は、排出口２３のみならず、排水弁２２を含む排水管２全体が水面Ｗより低い位置になるように配置されている。
【００３６】
このように、排出口２３を水面Ｗよりも低くすることで、水面Ｗにかかる大気圧により、沈殿池３内の水はフード１内の空間１０１から排水管２へと吸い込まれ、排水管２１を通って最終的に排出口２３から排水される。なお、フード１から取り込まれる水量は、排水弁２２により適宜調整することができる。
【００３７】
図１１（ｂ）は、フード１から沈殿池３内に設けられた排水トラフ４に排水する沈降物・浮遊物除去装置について模式的に表したものである。排水トラフ４は、所定の水量をその内部に蓄えることができる樋状に形成されているが、その周壁上部を越えて沈殿池３内の水が直接内部に流入しない水深で沈殿池３内に設置されている。図に示すように、排水管２はフード１との接続部よりそのまま立ち上がって排水トラフ４の底面に接続され、その排出口２３は排水トラフ４内に露出するように設けられている。このように、本実施態様の排水管２は直管で形成されているため、空気抜き管２４を設けなくても排水管２内の空気が抜けやすく、排水をスムーズに行うことができる。
【００３８】
排水トラフ４内の水は排水管等（図示せず）により沈殿池３外へと排水され、排水トラフ４内の水面Ｗ２が沈殿池３の水面Ｗ１よりも常に低くなるように保たれている。そして、水面Ｗ１と水面Ｗ２にかかる大気圧は等しいため、水面Ｗ１と水面Ｗ２が均衡を取ろうとして、水位が高い沈殿池３内の水はフード１内に吸い込まれ、排水管２を通って排水トラフ４内へと集水され、その後、外部へと通じる排水管等により沈殿池３外へと排水される。
【００３９】
以上説明した図１１（ａ）、（ｂ）の実施態様では、水位の差を利用してフード１から水を吸い込ませるが、吸水手段としてはこれに限定されず、図１１（ｃ）に示すように、排水管２１の途中にポンプ５による吸水手段を設けてもよく、この場合、排出口２３および排水管２１は沈殿池３の水面Ｗよりも高くなっても良い。かかるポンプ５は、真空ポンプや吸水ポンプ等の一般的なポンプを利用することができる。さらに、吸水手段はこれに限らず、ポンプ５による吸水手段と水位差を利用した吸水手段を組み合わせてもよい。
【００４０】
本発明の水中及び水面の沈降物・浮遊物除去装置は、複数のフード１を備えてもよく、その一例として、上下に複数のフード１を重ねて設けてもよい。上下に複数のフード１を重ねる場合、図１２に示すように、最上部のフード１ａは、その下方に配置されたフード１ｂと排水管２７ａにより連結することができる。排水管２７ａは、上部のフード１ａの排出孔１１１ａより垂下するように設けられ、フード１ｂの排出孔１１１ｂへ上方より連接されている。同じく、フード１ｂはその下方に配置されたフード１ｃに対して排水管２７ｂにより連結されている。排水管２７ａ、ｂは、フード１ａ、ｂ内の排出孔１１１ａ、ｂ近傍において複数のスリット状の開口部２７１ａ、ｂがそれぞれ形成されており、かかる開口部２７１ａ、ｂより水および浮遊物を排水管２７ａ、ｂ内に取り込むことができる。なお、本実施態様では、開口部２７１ａ、ｂは排水管２７ａ、ｂの周方向に延伸するスリット状に形成されているが、これを、軸方向に延伸するスリット状としてもよく、あるいは、スリット以外の円形などその他の形状としてもよい。さらに、開口部２７１ａ、ｂはそれぞれその開口径について限定されず、互いに異なる開口径としても良い。すなわち、フード１と排水管２の連接部により近くなれば、フード１内の流速も速くなるところ、開口部２７１ａ、ｂで排水管２との連接部に近い開口部はその開口径をより小さくし、逆に、連接部から遠い開口部は開口径をより大きくすることで、開口部の位置に関わらず吸入される水量を一定とすることができる。
【００４１】
本実施態様において、最下部のフード１ｃ内に取り込まれた水と浮遊物は、排出孔１１１からそのまま上部に連接された排水管２７ｂへと流入するが、フード１ａ、１ｂ内に取り込まれたものは、フード１ａ、１ｂ内に設けられた排水管２７ａ、ｂのスリット状開口部２７１ａ、ｂを通ってそれぞれの排水管２７ａ、ｂ内に吸い込まれ、ともに排水管２へと移動し、最終的に排出口２３から排出される。なお、本実施態様では３つのフード１ａ、１ｂ、１ｃを上下に重ねているが、フード１の数はこれに限らず、必要に応じて適宜増減してもよい。
【００４２】
なお、本発明にかかる水中及び水面の沈降物・浮遊物除去装置の設置方法に関し、通常はフード１の取り込み口１１２が下を向くように設置するが、これを上下逆にして取り込み口１１２が上を向くように設置してもよく、さらには、図１３に示すように、下向きのフード１ａと上向きのフード１ｂとを所定の間隔を空けて互いに対向するように設けてもよい。このように設置することにより、上下のフード１ａ、ｂの間を通過する浮遊物の中で、比重の軽いものは上方に設置されたフード１ａに、また、比重の重いものは下方に設置されたフード１ｂにそれぞれ効果的に取り込まれる。なお、下向きのフード１ａと上向きのフード１ｂとを互いに対向させて設置する場合、基本的にはフード１ａ、ｂの中心が一致するように水平方向では同じ位置で配置されるが、必要に応じてその位置を前後左右にずらして設置してもよい。また、フード１ａ、ｂの角度についても基本的にはそれらの取り込み口１１２が互いに平行となるように配置されるが、角度はこれに限定されず、例えば、フード１ａの取り込み口１１２に対してフード１ｂの取り込み口１１２が傾斜するように角度を付けて設置してもよい。なお、図１３の態様では、上向きのフード１ｂは下向きのフード１ａと対向させて設置するが、上向きのフード１ｂを単体で設置しても本発明の効果を得ることができる。
【００４３】
また、本発明にかかる水中及び水面の沈降物・浮遊物除去装置の設置方法に関し、水の流れに対して前後方向に複数のフード１を連続して設置してもよい。さらに、複数のフード１を、平面視で縦方向、横方向、斜め方向に連続する升目状に設置してもよい。これらの場合、隣接するフード１との間には隙間を設けても良いし、また、設けなくても良い。例えば、図１４（ａ）では、下向きのフード１ａと上向きのフード１ｂとを所定の間隔を空けて対向するように設けたものを、前後で３組連続して設けている。このように、前後に連続して設置した場合、水の流れに対して一番前方に位置するフード１ａとフード１ｂから、中間、そして一番後方に位置するフード１ａとフード１ｂへと順次、水が移動するが、その際にフード１内で生じる迂流によって、効果的に沈殿物を分離し、上下の排水管２から排出することができる。特に、本実施態様のように、水の流れに対して一番上流側に位置するフード１ａの側壁１２ａを長く、フード１ｂの側壁１２ｂを短くし、逆に、その後方のフード１ａの側壁１２ａを短く、フード１ｂの側壁１２ｂを長くするというように、前後で側壁１２ａ、ｂの長さを互い違いにしてもよく、これにより水が上下に蛇行し、迂流の効果をより高めることができる。なお、本実施態様では、前後で３組のフード１ａとフード１ｂを連続して設置しているが、前後に連続させる数については、これに限定されず、適宜増減してもよい。
【００４４】
また、本発明にかかる水中及び水面の沈降物・浮遊物除去装置の設置方法に関し、図１５に示すように、フード１の下方には散気管６を適宜設けても良い。フード１の下方に散気管６を設けてエアブローをすることにより、空気の泡とともに浮遊物が上昇し、フード１内へ効率的に送り込むことができる。さらに、水流の下流側において散気管の散気量を多くすることにより、気泡が一種のエアーカーテンの役割を果たして、浮遊物がフード１よりも下流側に行きにくくなり、より効率的にフード１内に取り込むことが可能となる。散気管６からは、気泡（ナノバブル、マイクロバブル、通常のバブル）の他に、水、粘性を有する泡（ビールのような泡、シャンプーのような泡など）、またはそれらを混合させたものを発生させてもよい。なお、ナノバブル、マイクロバブルは浮力が弱く、フード内に取り込む前に水と共に流されることがある。そのため、散気管を複数設けてナノバブル、マイクロバブル、通常のバブル、液体（水等）を併用、または組み合わせてもよい。
【００４５】
かかる散気管６の設置はフード１の下方に限定されず、例えば、図１４（ａ）に示すように、フード１ｂの内部に設けても良い。なお、フード１の内部に流路集合体１４を備える場合は、図１４（ｂ）に示すように、排出孔１１１と流路集合体１４の間に散気管６を設けることが好ましい。
【００４６】
また、図１６は、上下に複数のフード１を重ねて設けた本発明にかかる水中及び水面の沈降物・浮遊物除去装置の設置方法の一例を示す。図１６（ａ）では、３つのフード１ａ、１ｂ、１ｃを重ねたものを、水の流れに対して前後方向に２組併設している。これら２組の水中及び水面の沈降物・浮遊物除去装置は、排水管２１において連結され、いずれのフード１から取り込まれた水および浮遊物も、最終的には同じ排出口２３から排出される。また、図１６（ｂ）における最上部のフード１ａのように、隣接するフード１同士の間は隙間を設けずに配置しても良い。本実施態様では、最上部のフード１ａのみ隙間なく設けているが、隙間を設けないフード１は最上部のものに限らない。
【００４７】
上下に複数のフード１を重ねて設けた本発明にかかる水中及び水面の沈降物・浮遊物除去置の設置方法において、必ずしもフード１の向きは同一でなくてもよく、例えば、図１７（ａ）に示すように、３つのフード１ａ、１ｂ、１ｃを重ねたうち、真ん中のフード１ｂのみ上向きに設置しても良い。この場合、フード１ａとフード１ｂとは排水管２７によって互いに接続されているが、図１７（ｂ）に示すように、この排水管２７にはフード１ａ、１ｂ内の排出孔１１１ａ、ｂ近傍において複数のスリット状の開口部２７１ａ、ｂがそれぞれ形成されている。さらに、図１７（ａ）の態様のように、下向きに設けられたフード１ｃの下方に、更に上向きのフード１ｄを対向するように設けても良い。
【００４８】
また、図１８は、上下に複数のフード１を重ねて設けた本発明にかかる水中及び水面の沈降物・浮遊物除去装置の異なる設置方法を示す。本実施態様では３つのフード１ａ、１ｂ、１ｃを重ねたものを、水の流れに対して前後方向に２組併設しているが、それら２組のフード１ａ、１ｂ、１ｃの前後には、それぞれ障壁７が設けられている。かかる障壁７は、フード１ａ、１ｂ、１ｃの上流側では沈殿池３の底面との間に隙間を有し、また、フード１ａ、１ｂ、１ｃの下流側では水面Ｗとの間に隙間を有するように形成されている。このように、２組のフード１ａ、１ｂ、１ｃの前後において、障壁７を底面もしくは水面Ｗとの間で隙間を有するように配置することにより、水の流れをフード１ａ、１ｂ、１ｃの下方から上方へと規制することができ、効果的に浮遊物をフード１内に取り込んで除去することができる。
【００４９】
本発明にかかる水中及び水面の沈降物・浮遊物除去装置でフード１内に流路集合体１４を設けたものに関し、図１９（ａ）〜（ｄ）によりそれらのフード１を複数設置する場合の具体例について説明する。これらの実施態様において、各フード１内の流路集合体１４を構成する個々の細管は、フード１の排出孔１１１側となる上部開口１４１が略水平の高さになるように揃えられているが、この態様に限定されるものではない。
【００５０】
図１９（ａ）のものは、下向きのフード１ａと上向きのフード１ｂを対向して設けており、下向きのフード１ａと上向きのフード１ｂの間、すなわち、流路集合体１４ａの下部開口１４２ａと管部集合体１４ｂの下部開口１４２ｂとの間は、水が流れる流路となる。この流路には散気管６を設けてもよく、散気管６により発生する空気泡により、フード１ａとフード１ｂの間の流路を流れる水に含まれる浮遊物が上昇し、流路集合体１４ａ内へ効率的に送り込むことができる。かかる散気管６は、図１９（ｂ）〜（ｄ）のものにも同様に設けてもよい。
【００５１】
図１９（ｂ）のものは、下向きのフード１ａと上向きのフード１ｂの間に略Ｖ字を横にした断面形状を有する障壁８を設けている。この障壁８により、フード１ａとフード１ｂの間を流れる水は上下に迂流し、流路集合体１４ａ、ｂ内へ浮遊物を効率的に送り込むことができる。なお、本実施態様では、障壁８の形状は略Ｖ字を横にしたものとなっているが、形状はこれに限定されず、断面形状が略I字の平板状等としてもよい。さらに、図１９（ａ）の散気管６と同図（ｂ）の障壁８を組み合わせて設置してもよい。具体的には、後述する図３１（ｂ）のように、障壁８と散気管６を組み合わせて配設することで、浮遊物の分離がより容易となり、効果的である。なお、散気管６と障壁８の数、サイズ、形状は特に限定されず、また、その組み合わせ方法についても限定されない。一例として、障壁８を設ける高さ（位置）を上流側と下流側とで変えることにより、水流を上下に迂回させることができる。
【００５２】
図１９（ｃ）のものは、下向きのフード１ａの流路集合体１４ａを構成する細管の長さを側壁１２ａ側からフード１ａの中央側に行くにしたがって段階的に短くなるように形成し（中央部分には細管を設けない）、これにより、下部開口１４２ａ側が全体で凹状となっている。一方、上向きのフード１ｂの流路集合体１４ｂを構成する細菅の長さを側壁１２ｂ側からフード１ａの中央側に行くにしたがって段階的に長くなるように形成し、これにより、下部開口１４２ｂ側が全体で凸状となっている。これにより、対向するフード１ａとフード１ｂの間の水の流路は、側壁１２側が低く、中央部分が高い逆Ｖ字形となり、高さ方向に蛇行する流路が形成される。かかる流路を流れる水は上下に蛇行して迂流が促進され、流路集合体１４ａ、ｂ内へ効率的に浮遊物を送り込むことができる。
【００５３】
図１９（ｄ）のものは、下向きのフード１ａの流路集合体１４ａを構成する細管の長さを一方の側壁１２ａ側から他方の側壁１２１ａ側に波状となるように形成し、これにより、下部開口１４２ａ側が凹凸状になっている。一方、上向きのフード１ｂの流路集合体１４ｂを構成する細菅の長さも波状となるように形成し、これにより、下部開口１４２ｂ側が凹凸状になっている。そして、下部開口１４２ａと下部開口１４２ｂは凹凸が互いに反対になるように位相がずれているため、対向するフード１ａとフード１ｂの間には、高さ方向に蛇行する流路が形成される。これにより、水は上下に蛇行して迂流が促進され、流路集合体１４ａ、ｂ内へ効率的に浮遊物を送り込むことができる。
【００５４】
図２０（ａ）のものは、４つのフード１ａ、ｂ、ｃ、ｄを上下に重ねたものであるが、互いに排水管２７により接続されている。具体的には、フード１ａとフード１ｂを連設する排水管２７ａは、流路集合体１４ａと流路集合体１４ｂを構成する細管のほぼ中央において細管に沿って設けられ、その上部と下部が流路集合体１４ａと流路集合体１４ｂに対してそれぞれ固定されている。排水管２７ａは、その上端と下端が、流路集合体１４ａと流路集合体１４ｂの上部開口１４１ａ、１４１ｂと揃う長さに形成されている。また、フード１ｃとその下方のフード１ｄも同様に排水管２７ｃにより連設されている。さらに、フード１ｂとフード１ｃは排出孔１１１に連接された排水管２７ｂにより互いに連設されている。
【００５５】
また、図２０（ａ）のフード１ａの流路集合体１４ａは、細管の長さを側壁１２ａ側からフード１ａの中央の排水管２７ａ側に行くにしたがって徐々に短くなるように下部開口１４２ａを斜めに形成し、これにより、下部開口１４２ａ側が全体で凹状となっている。一方、フード１ｂの流路集合体１４ｂは、細菅の長さを側壁１２ｂ側からフード１ｂの中央側に行くにしたがって徐々に長くなるように下部開口１４２ｂを斜めに形成し、これにより、下部開口１４２ｂ側が全体で凸状となっている。こうすることにより、対向するフード１ａとフード１ｂの間の水の流路は、側壁１２側が低く、フード１ａ、ｂの中央部分が高い逆Ｖ字となるため、水は上下に蛇行して迂流が促進され、流路集合体１４内へ効率的に浮遊物を送り込むことができる。フード１ｃおよびフード１ｄの流路集合体１４ｃ、ｄについても、同様の構成となっている。
【００５６】
なお、図２０（ａ）のフード１ａ〜ｄおよび排水管２７ａ〜ｃ内の水や浮遊物の流れは、排水管２に設けた排水弁（図示せず）により調整可能である。すなわち、フード１ａに連接された排水管２の排水弁のみ開けると水は上方へ流れる。また、フード１ｄに連接された排水管２の排水弁のみ開けると水は下方へ流れる。これらの上部と下部の排水弁を両方開けた場合、上方、下方の両方に流れるが、排水量の大きい方へより多く流れる。なお、排水量とは別に比重の大小により流れに逆らって、上方もしくは下方に流れていくものもある。すなわち、比重の小さいものは上のフード１ａ、ｃ内へ、上方の流れに逆らって沈む比重の大きいものは下のフード１ｂ、ｄ内に取り込まれる。  
【００５７】
図２０（ｂ）のものは、４つのフード１ａ、ｂ、ｃ、ｄを重ねたものであるが、互いに排水管２７ａ、ｂ、ｃにより接続されている点は、図２０（ａ）の態様と同じである。ただし、本実施態様では、流路集合体１４ａ〜ｄを構成する細管が同じ長さに形成され、いずれもその上部開口１４１ａ〜ｄ、下部開口１４２ａ〜ｄにおいて、平坦になるように形成されている点が相違する。
【００５８】
さらに、図２０（ｂ）のフード１ｂとフード１ｃは、それらの側壁１２ｂと側壁１２ｃとを繋げるように一対の仕切り１６ｂを設けている。この仕切り１６ｂは、側壁１２ｂ、ｃの対向する面に対で設けることが好ましく、本図では左右に一対設けているが、これを前後に一対としてもよい。このように、仕切り１６ｂを側壁１２ｂと側壁１２ｃの間に設けることにより、この部分の水流を防いで、フード１ａとフード１ｂの間、もしくは、フード１ｃとフード１ｄの間の流路に集中させることができる。さらに、フード１ａとフード１ｄには、必要に応じてそれらの側壁１２ａ、側壁１２ｄから排水管２側へと延伸するように仕切り１６ａ、１６ｄを設けてもよい。これらの仕切り１６ａ、１６ｄも、仕切り１６ｂと同様の効果を得ることができる。
【００５９】
なお、これらの仕切り１６を設ける代わりに、図２０（ｄ）に示すように、円柱状もしくは角柱状のブロック状部材１７の内部をくりぬき、排出孔１１１へと収斂する内壁面１１４を有する内部１０１と流路集合体１４を備えた空間を形成してもよい。この態様では、天壁１１と側壁１２に相当する部分が一体に形成されており、２つのフード１を図に示すようにブロック状部材１７の上面部で接合させることにより、ブロック状部材１７の外側面が仕切り１６と同じ役割を果たし、フード１間の水流を効果的に防ぐことができる。
【００６０】
さらに、図２０（ｃ）のものは、４つのフード１ａ、ｂ、ｃ、ｄを重ねたものであるが、フード１ａとフード１ｂとを連設する排水管２７ａは、流路集合体１４ａと流路集合体１４ｂを構成する細管のほぼ中央においてそれらの細管に沿って設けられ、その上部と中央の一部が流路集合体１４ａと流路集合体１４ｂに対してそれぞれ固定されている。排水管２７ａは、その上端が上部開口１４１ａと揃うように形成されるとともに、下部側の一部が管部集合体１４ｂより更に下方へ突出するように延伸し、その下端部付近がフード１ｂとフード１ｃとを連設する排水管２７ｂ内へと挿入されている。
【００６１】
また、フード１ｃとフード１ｄとを連設する排水管２７ｃは、流路集合体１４ｃと流路集合体１４ｄを構成する細管のほぼ中央においてそれらの細管に沿って設けられ、その中央の一部と下部が流路集合体１４ｃと流路集合体１４ｄに対してそれぞれ固定されている。排水管２７ｃは、その下端が上部開口１４１ｄと揃うように形成されるとともに、上部側の一部が流路集合体１４ｃより更に上方へ突出するように延伸し、その上端部側がフード１ｂとフード１ｃとを連設する排水管２７ｂ内へと挿入されている。
【００６２】
図２０（ａ）〜（ｃ）のものは、４つのフード１ａ、ｂ、ｃ、ｄをいずれも垂直方向に重ねたものであるが、垂直方向に限らず、配管の角度によっては全体を傾斜させるようにして配置してもよい。また、図１９、図２０のフード１の数は２つもしくは４つとなっているが、これらの数に限定されない。
【００６３】
また、複数のフード１を上下に重ねて設置する場合、図２１（ａ）に示すように、各フード１ａ、ｂ、ｃのそれぞれに直結する排水管２ａ、ｂ、ｃを個別に設けてもよい。すなわち、フード１ａには排水管２ａが、フード１ｂには排水管２ｂ、フード１ｃには排水管２ｃがそれぞれ直結されるとともに、排水管２ｂはフード１ａを貫通し、また、排水管２ｃはフード１ａ、１ｂを貫通して設けられている。かかる構成により、各フード１ａ、ｂ、ｃの排水量などを個別に調整することができる。図２１（ｂ）は、上下に６つのフード１ａ〜ｆを重ねて設置した例であり、この実施態様では、フード１ａには排水管２ａ、フード１ｂには排水管２ｂ、フード１ｃには排水管２ｃ、フード１ｄには排水管２ｄ、フード１ｅには排水管２ｅ、フード１ｆには排水管２ｆがそれぞれ直結されている。なお、フード１外における排水管２の束は、図２１（ｃ）に示すように、１本の太いパイプの中にまとめて収納してもよい。このとき、各パイプ２ａ、ｂ、ｃの間の隙間は必要に応じて適宜塞げばよい。
【００６４】
さらに、複数のフード１を上下に重ねて設置する場合、図２１（ｂ）に示すように、２つのフード１間の隙間を塞ぐように、網部９を設けてもよい。かかる網部９を上下のフード１の間に設けることにより、フード１間を水が通過するときに、大きなゴミ等がフード１内に入り込むことを防ぐことができる。
【００６５】
図２２は、本発明に係るフード１のさらに異なる実施態様の内部構造を模式的に示したものである。本実施態様のフード１は、内部の空間部１０１に集水部２９を備えている点に特徴を有する。かかる集水部２２９は、上下両端が開放した円筒状に形成されており、その壁面に複数の開口部２９１が設けられている。そして、この集水部２９は、その上端部において内管部２９２に連接されている。内管部２９２は、排水管２内において、排水弁（図示せず）の手前まで延伸するように設けられている。図２２（ｂ）に示すように、内管部２９２は、その外周面より突設する４枚の板状の連結部２９３により、排水管２の内周壁に固定されている。
【００６６】
かかる構成により、フード１の空間部１０１に取り込まれている浮遊物のうち、集水部２９の開口部２９１を通過できる大きさの浮遊物は、更に集水部２９に吸い込まれて、内管部２９２を通って効果的に外部へと排出される。また、開口部２９１を通過できない大きさの浮遊物も、排水管２と内管部２９２の隙間を通り外部へと排出される。
【００６７】
さらに、図２２（ｃ）のように、集水槽１の内部の空間部１０１を縦に仕切る仕切り板１１９を設けてもよく、この場合は、図２２（ｃ）に示すように、仕切り板１１９よりも上方において複数本に枝分かれして、仕切られた空間内に各々延伸する円筒状に集水部２９を形成してもよい。
【００６８】
さらに、図２２（ｄ）のように、仕切り板１１９がない場合は、フード１の形状に合わせた略箱状の集水部２９を入れ子式に設けても良い。この集水部２９には、図に示すように、その正面側の壁面にスリット状に形成された開口部２９１が形成されている。また、その底部２９４は開放して形成されている。
【００６９】
図２３〜図３４のものは、本発明の水中及び水面の沈降物・浮遊物除去装置のさらに異なる実施態様である。本実施態様の水中及び水面の浮遊物除去装置は、沈殿池の水中に設置され、下辺部へ向けて互いに離間しながら延在するように上辺部において連設された一対の天壁を有し、該天壁の左右両辺部には、該連設部から所定の高さまで形成された側壁を備えたフードと、該連設部に沿って延在し、その周壁に開口部が形成されるとともにその両端部が前記側壁を貫通してフード外に突出する排水管を備える。以下、その構造について詳しく説明する。
【００７０】
図２３、２４に示すように、本実施態様のフード１は、平板状に形成された一対の天壁１１をそれらの上辺部１１５において互いに連設し、該上辺部１１５から下辺部１１６へと互いに離間するように傾斜して形成されている。なお、本実施態様では、かかる天壁１１は矩形に形成されているが、これを正方形あるいは台形などの異なる形状としてもよい。さらに、天壁１１は少なくともその一部が下方側に面して傾斜していればよく、例えば、図４（ｂ）のように、一対の天壁１１のうち、一方の天壁１１は傾斜し、他方の天壁１１は傾斜していない垂直面としても良い。さらに、天壁１１の一部は、図４（ｃ）に示すように、その内壁面１１４が下方ではなく上方に面するように逆に傾斜するものも含む。
【００７１】
天壁１１の左右辺部１１７には、上辺部１１５の連設部から所定の高さまで、天壁１１の内側の空間１０１の両側を塞ぐようにして一対の側壁１５が設けられている。この側壁１５は、天壁１１の上辺部１１５の連設部から任意の高さまで設けることができ、図２３では必要最低限の高さに形成されているが、これを図２５（ａ）のように、天壁１１の下辺部１１６まで、すなわち、天壁１１の空間１０１の両側を完全に塞ぐように設けてもよい。さらに、側壁１５の形状は図２３（ｂ）や図２５（ａ）のような三角形に限定されず、図２５（ｂ）に示すような底辺１５１の中央部分が切れ上がった逆Ｖ字形などその他の形状としても良い。
【００７２】
天壁１１内の空間１０１には、排水管２が設けられている。排水管２は、天壁１１の上辺部１１５の連設部に沿って横方向に延在し、その両端側が側壁１５からフード１外へと突出するように設けられている。
【００７３】
排水管２は、天壁１１の空間１０１において延在する部分の周壁部にスリット状の開口部２０１が複数形成されており、かかる開口部２０１より水および浮遊物を排水管２内に取り込むことができる。なお、本実施態様では、開口部２０１は排水管２の周方向に延伸するスリット状に形成されているが、これを、軸方向に延伸するスリット状としてもよく、あるいは、スリット以外の円形などその他の形状としてもよい。また、排水管２の先端の開口部には、必要に応じて開口を閉塞するための着脱自在なキャップ部２０２を設けてもよい。
【００７４】
排水管２は、キャップ部２０２が取り付けられた端部とは反対側の端部に排出口２３が設けられ、該排出口２３の手前に排水弁２２が設けられている。さらに、必要に応じて排水管２の途中から分岐して縦方向に立ち上がる空気抜き管２４を設けてもよい。本実施態様では、空気抜き管２４はフード１の頂部に設けた開口１１８よりフード１外へと突出している。かかる空気抜き管２４の端部には排気口２６が設けられ、その手前には空気抜き弁２５が設けられている。このように空気抜き管２４を設けることにより、フード１から排水管２へ入り込んだ空気を効果的に抜くことができ、スムーズに排水管２から水を排水することが可能となる。さらに、排水管２の一部を蛇腹構造としてもよく、蛇腹構造とすることで沈殿池３の水位が変化したときに容易に調整できる。
【００７５】
なお、本実施態様では、排水管２の一端側のみキャップ２０２が取り付けられているが、これを排水管２の両端部に取り付けてもよく、その場合、空気抜き管２４の代わりに、排水管２の途中から分岐して縦方向に立ち上がる排水用の配管を別途設けてもよい。さらには、排水管２の両端部にはキャップ２０２を取り付けることなく、一方の端部には排出口２３を設けるとともに、他方の端部には排気口２６に至る空気抜き管２４をそれぞれ設けてもよい。なお、排水管２の途中から分岐して縦方向に立ち上がる空気抜き管２４あるいは排水管を設ける必要がない場合、フード１の頂部は、図２４（ｂ）に示すように開口１１８を設けることなく、完全に閉塞した形とすればよい。
【００７６】
本実施態様のフード１は側面視で略三角形に形成されているが、形状は三角形に限定されず、図２６（ａ）に示すように、天壁１１の連設部において上端部が平坦な形状や、あるいは、図２６（ｂ）に示すような角を有さないＲ面状になるように形成してもよい。このように、フード１の天壁１１を連設部から下辺部へと互いに離間するように傾斜させ、その内壁面１１４が頂部から下部にかけて裾広がりに形成されることにより、空間１０１に存在する比重の小さな浮遊物は上部の連設部付近に設けた排水管２へと集まり、開口２０１から排水管２内へと効率的に取り込むことができる。さらに、天壁１１の上面が傾斜板の役割を果たし、フロック等の浮遊物の沈降を促進させることができる。なお、天壁１１の傾斜角度は限定されず、水平に対して１度の傾斜でもその効果を有する。
【００７７】
フード１内の空間１０１は、図２３のように完全な空洞としてもよいが、必要に応じて、図２７に示すような流路集合体１４を設けてもよい。かかる流路集合体１４は、フード１内の空間を水平方向に分割するとともに、その上部開口１４１は排水管２側へ、また、その下部開口１４２はフードの開放側へ向くように上下方向に延伸する。
【００７８】
図２７（ａ）に示すように、流路集合体１４ｅは複数本の細管を束状として形成されている。流路集合体１４ｅを構成する個々の細菅は、下端部から上端部に行くにつれて直径が細くなるように形成されており、フード１の中央部分では略鉛直方向に、また、天壁１１に近づくにつれて天壁１１の傾斜に沿うように各々適切な角度で束ねられている。これにより、細菅を束ねたときの全体形状がフード１の天壁１１により形成される空間１０１の形状と相似する形状になる。かかる流路集合体１４ｅの上部開口１４１は排水管２の下方に位置し、また、下部開口１４２はフード１の下端部に位置するように設けられているが、これらの位置はこれに限定されない。かかる流路集合体１４ｅは、一番外周側に位置する細菅の周壁をフード１の天壁１１の内側に固定することにより、フード１に取り付けられている。
【００７９】
また、図２７（ｂ）に示す実施態様の流路集合体１４ｆは、細菅が上端部から下端部まで同じ直径に形成されるとともにすべて鉛直方向に延伸するように束ねられ、さらに、フード１の天壁１１の傾斜に沿うように個々の細菅の長さが形成されている。これにより、細菅を束ねたときの全体形状がフード１の天壁１１により形成される空間１０１の形状と相似する形状になる。さらに、流路集合体１４ｆは、フード１の天壁１１との間に隙間１０２を形成するように天壁１１よりも低く設けられている。かかる流路集合体１４ｆは、左右両端側に位置する細菅の周壁をフード１の側壁１５の内側に固定することで取り付けることができる。
【００８０】
流路集合体１４ｅ、１４ｆは、いずれも細菅の下部開口１４２から水および浮遊物を取り込み、上部開口１４１から排水管２側へと排出するが、流路集合体１４ｆの場合は、一旦、天壁１１との隙間１０２に排出されたものがそのまま天壁１１に沿って排水管２の下方へと移動し、最終的に排水管２内へと取り込まれる。かかる流路集合体１４を内部に設けることにより、フード１の水平断面が複数の細菅によって細分化され、個々の開口面積が小さくなるため、フード１による吸い上げ効果を最大限発揮させることができる。さらに、フード１内の水の流れが上方へ向かうものに整理されて横方向の流れなどの余計な対流が生じず、効果的に浮遊物を吸い上げることができる。
【００８１】
なお、本実施態様の流路集合体１４ｅ、１４ｆは、複数本の円筒状の細管を束状にして形成しているが、個々の細管の断面形状は円筒に限定されず、図５に示したような断面形状が正方形ないし長方形の細管や、あるいは、正六角形の細管を束状にしたいわゆるハニカム構造やその他の断面形状でもよい。流路集合体１４ｅ、１４ｆを構成する細菅は、任意の太さに形成することができるが、上記の効果を最大限発揮させるために、内径を０．１ｍｍ〜５０ｍｍの範囲で形成することが好ましい。なお、個々の細管の内径は互いに同一でなくてもよく、場所によって異なるものであってもよい。また、隣接する細管同士の間は隙間を設けなくても設けてもよく、隙間を設ける場合はその間隔は特に限定されない。さらに、フード１の空間１０１において水平断面が細分化できれば流路集合体１４は細菅の集合体には限定されず、複数の流路を仕切り板で区画形成したものや、ブロック状の部材に流路となる複数本の縦孔部を貫穿したものも含まれる。
【００８２】
以上説明した流路集合体１４は、いかなる態様のフード１にも設けることができるが、図２９（ａ）に示すように、フード１内において連結用の排水管２７が設けられている場合は、かかる排水管２７部分を避けて、その他の部分に流路集合体１４を設けることができる。
【００８３】
本発明に係る水中及び水面の沈降物・浮遊物除去装置の設置例について、図２８により模式的に示す。図２８（ａ）に示すように、排水管２はキャップ部２０２が取り付けられていない側が延伸して排出口２３が沈殿池３の外部へ露出するように設けられ、特に、その排出口２３が沈殿池３内の水面Ｗよりも低い位置になるように配置されている。なお、排水管２は、排出口２３のみならず、排水弁２２を含む排水管２全体が水面Ｗより低い位置になるように配置されている。
【００８４】
このように、排出口２３を水面Ｗよりも低くすることで、水面Ｗにかかる大気圧により、沈殿池３内の水はフード１内の空間１０１から排水管２へと吸い込まれ、排水管２を通って最終的に排出口２３から排水される。なお、フード１から取り込まれる水量は、排水弁２２により適宜調整することができる。
【００８５】
図２８（ｂ）は、フード１から沈殿池３内に設けられた排水トラフ４に排水する浮遊物除去装置について模式的に表したものである。排水トラフ４は、所定の水量をその内部に蓄えることができる樋状に形成されているが、その周壁上部を越えて沈殿池３内の水が直接内部に流入しない水深で沈殿池３内に設置されている。図に示すように、排水管２はその両端部にキャップ部２０２が取り付けられているとともに、その途中から分岐して立ち上がる排水管２７が設けられている。該排水管２７はそのまま排水トラフ４の底面を貫通するとともに、その端部に設けられた排出口２３が排水トラフ４内に露出するように設けられている。このように、本実施態様の排水管２は直管で形成された排水管２７により真上に水を抜くため、別途空気抜き管２４を設けなくても排水管２内の空気が抜けやすく、排水をスムーズに行うことができる。
【００８６】
排水トラフ４内の水は排水管等（図示せず）により沈殿池３外へと排水され、排水トラフ４内の水面Ｗ２が沈殿池３の水面Ｗ１よりも常に低くなるように保たれている。そして、水面Ｗ１と水面Ｗ２にかかる大気圧は等しいため、水面Ｗ１と水面Ｗ２が均衡を取ろうとして、水位が高い沈殿池３内の水はフード１の排水管２に吸い込まれ、排水管２７を通って排水トラフ４内へと集水され、その後、外部へと通じる排水管等により沈殿池３外へと排水される。
【００８７】
以上説明した図２８（ａ）、（ｂ）の実施態様では、水位の差を利用してフード１から水を吸い込ませるが、吸水手段としてはこれに限定されず、図２８（ｃ）に示すように、排水管２８の途中にポンプ５による吸水手段を設けてもよい。本実施態様では、排水管２はその両端部にキャップ部２０２が取り付けられているとともに、その途中から分岐して立ち上がる排水管２７が設けられている。さらに該排水管２７の途中で、そのまま縦方向に延伸する空気抜き管２４と、横方向に延伸する排水管２８が分岐する。本実施態様のようにポンプ５を使用する場合は、排出口２３および排水管２８は沈殿池３の水面Ｗよりも高くなっていても良い。また、ポンプ５は、真空ポンプや吸水ポンプ等の一般的なポンプを利用することができる。さらに、吸水手段はこれに限らず、ポンプ５による吸水手段と水位差を利用した吸水手段を組み合わせてもよい。
【００８８】
本実施態様の水中及び水面の沈降物・浮遊物除去装置は、複数のフード１を備えてもよく、その一例として、上下に複数のフード１を重ねて設けてもよい。図２９（ａ）の実施態様では、上部のフード１ａの排水管２ａと、その下方に配置されたフード１ｂの排水管２ｂは、ともにそれらの両端部がキャップ部２０２ａ、ｂにより閉塞されたタイプであり、互いに排水管２７ｂにより連結されている。排水管２７ｂは、下部の排水管２ｂより縦方向に立ち上がり上部の排水管２ａへ連接され、これにより排水管２ａと排水管２ｂは連通可能となっている。さらに、上部のフード１ａの排水管２ａはその途中から分岐して立ち上がる排水管２７ａが設けられ、排水管２７ａの途中でそのまま縦方向に延伸する空気抜き管２４と、横方向に延伸する排水管２８が分岐する。
【００８９】
かかる構成により、下部のフード１ｂ内に取り込まれた水と浮遊物は、排水管２ｂの開口部２０１から取り込まれ、そのまま上部に連接された排水管２７ｂへ流入する。また、上部のフード１ａ内に取り込まれた水と浮遊物は、排水管２ａの開口部２０１から取り込まれ、排水管２ｂから取り込まれて排水管２７ｂを通過して流入した水と浮遊物と合流して、ともに排水管２７ａに移動する。そして、排水管２８を経て最終的に排出口２３から排出される。なお、本実施態様では２つのフード１ａ、１ｂを上下に重ねているが、フード１の数はこれに限らず、必要に応じて適宜増減してもよい。さらに、排水管２ａの開口部２０１と排水管２ｂの開口部２０１はそれぞれその開口径について限定されず、互いに異なる開口径としても良い。
【００９０】
図２９（ｂ）は、図２９（ａ）と同じように２つのフード１ａ、１ｂを上下に重ねているが、排水管や空気抜き管の配置が異なるものである。本実施態様では、上部のフード１ａと下部のフード１ｂは互いに排水管で連結させず、それぞれ独立した系統となっている。すなわち、上部のフード１ａは、図２８（ａ）と同じ態様をとる一方、下部のフード１ｂに関しては、排水管２の排出口２３とは反対の端部側に、そのまま縦方向に立ち上がる空気抜き管２４を連接するとともに、その端部には排気口２６ｂと空気抜き弁２５ｂが設けられている。なお、フード１ａの排出口２３ａと排水弁２２ａは、フード１ｂの排出口２３ｂと排水弁２２ｂと互いに独立して設けられているが、排水管２ａと排水管２ｂを一本に連結することにより、排出口２３ａ、ｂと排水弁２２ａ、ｂも一本化してもよい。
【００９１】
また、図３０は３つのフード１ａ、ｂ、ｃを上下に重ねた実施態様のものである。本実施態様では、最上部のフード１ａの排水管２ａと、中間に配置されたフード１ｂの排水管２ｂ、さらに、最下部のフード１ｃの排水管２ｃは、いずれもそれらの両端部がキャップ部２０２により閉塞されたタイプであり、互いに排水管２７ｂ、２７ｃにより連通可能に接続されている。さらに、上部のフード１ａの排水管２ａはその途中から分岐して立ち上がる排水管２７ａが設けられ、排水管２７ａの途中でそのまま縦方向に延伸する空気抜き管２４と、横方向に延伸する排水管２８が分岐する。
【００９２】
なお、複数のフード１を上下に重ねるときに、図３０のように、側壁１５の中央部分が切れ上がった逆Ｖ字形に形成されているものは、下方に配置されるフード１の上部を上方のフード１の側壁１５の切れ上がった部分に入り込ませることができるため、上下のフード１の間隔をより狭く配置することができる。
【００９３】
本発明にかかる水中及び水面の沈降物・浮遊物除去装置の設置方法に関し、通常はフード１の空間１０１が下を向くように設置するが、これを上下逆にして空間１０１が上を向くように設置してもよく、さらには、図３１（ａ）に示すように、下向きのフード１ａと上向きのフード１ｂとを所定の間隔を空けて互いに対向するように設けてもよい。このように設置することにより、図中の矢印で示すように、上下のフード１の間を通過する浮遊物の中で、比重の軽いものは上方に設置されたフード１ａに、また、比重の重いものは下方に設置されたフード１ｂにそれぞれ効果的に取り込まれる。なお、図３１の態様では、上向きのフード１ｂは下向きのフード１ａと対向させて設置するが、上向きのフード１ｂを単体で設置しても本発明の効果を得ることができる。
【００９４】
また、下向きのフード１ａと上向きのフード１ｂとを所定の間隔を空けて互いに対向するように設けた場合、図３１（ｂ）に示すように、下向きのフード１ａと上向きのフード１ｂの間には障壁８および散気管６を設けてもよい。なお、本実施態様の障壁８は縦方向に延伸する板状であるが、障壁８の形状はこれに限定されず、図１９（ｂ）に示すような略Ｖ字を横にしたものでもよい。このように、障壁８と散気管６を組み合わせて配設することで、浮遊物の分離がより容易となり、効果的である。なお、散気管６と障壁８の数、サイズ、形状は特に限定されず、また、その組み合わせ方法についても限定されない。一例として、障壁８を設ける高さ（位置）を上流側と下流側とで変えることにより、水流を上下に迂回させることができる。
【００９５】
また、本発明にかかる水中及び水面の沈降物・浮遊物除去装置の設置方法に関し、水の流れに対して図３２（ａ）に示すようにフード１の天壁１１が並行する場合と、図３２（ｂ）に示すように正対する場合の２通りの方法がある。図中、矢印は水の流れを表す。図３２（ａ）に示すように、天壁１１が水の流れに並行する場合、水はフード１の上流側の側壁１５の下部から空間１０１に入り、下流側の側壁１５の下部からフード１外へと出ていく。また、図３２（ｂ）に示すように、天壁１１が水の流れに正対する場合、水は天壁１１の上流側の下辺部１１６を回り込んで空間部１０１に入り、下流側の下辺部１１６を回り込んでフード１外へと出ていく。
【００９６】
また、本発明にかかる水中及び水面の沈降物・浮遊物除去装置の設置方法に関し、図３２（ｂ）に示すように、フード１の下方には散気管６を適宜設けても良い。フード１の下方に散気管６を設けてエアブローをすることにより、空気の泡とともに浮遊物が上昇し、フード１内へ効率的に送り込むことができる。さらに、水流の下流側において散気管の散気量を多くすることにより、気泡が一種のエアーカーテンの役割を果たして、浮遊物がフード１よりも下流側に行きにくくなり、より効率的にフード１内に取り込むことが可能となる。散気管６からは、気泡（ナノバブル、マイクロバブル、通常のバブル）の他に、水、または粘性を有する泡（ビールのような泡、シャンプーのような泡など）、またはそれらを混合させたものを発生させてもよい。かかる散気管６の設置はフード１の下方に限定されず、フード１の内部に設けても良い。なお、ナノバブル、マイクロバブルは浮力が弱く、フード内に取り込む前に水と共に流されることがある。そのため、散気管を複数設けてナノバブル、マイクロバブル、通常のバブル、液体（水等）を併用、または組み合わせてもよい。
【００９７】
図３３、３４は、上下に複数のフード１を重ねて設けた本発明にかかる水中及び水面の沈降物・浮遊物除去装置の設置方法の一例を示す。図３３に示す実施態様では、３つのフード１ａ、１ｂ、１ｃを重ねたものを、水の流れに対して前後方向に２組併設している。これら２組の水中及び水面の沈降物・浮遊物除去装置は、排水管２８において連結され、いずれのフード１から取り込まれた水および浮遊物も、最終的には同じ排出口２３から排出される。なお、図３３の態様において、隣接するフード１同士の間は隙間を設けずに配置しても良い。例えば、図１６（ｂ）のように、最上部のフード１ａを隙間なく設けてもよいが、隙間を設けないフード１は最上部のものに限らない。
【００９８】
また、図３４に示す実施態様では、３つのフード１ａ、１ｂ、１ｃを重ねたものを、水の流れに対して前後方向に２組併設しているが、それら２組のフード１ａ、１ｂ、１ｃの前後には、それぞれ障壁７が設けられている。かかる障壁７は、フード１ａ、１ｂ、１ｃの上流側では沈殿池３の底面との間に隙間を有し、また、フード１ａ、１ｂ、１ｃの下流側では水面Ｗとの間に隙間を有するように形成されている。このように、２組のフード１ａ、１ｂ、１ｃの前後において、障壁７を底面もしくは水面Ｗとの間で隙間を有するように配置することにより、水の流れをフード１ａ、１ｂ、１ｃの下方から上方へと規制することができ、効果的に浮遊物をフード１内に取り込んで除去することができる。
【００９９】
さらに、複数のフード１を設ける場合、平面視で縦方向、横方向、斜め方向に連続する升目状に設置してもよい。これらの場合、隣接するフード１との間には隙間を設けても良いし、また、設けなくても良い。
【０１００】
以上説明した本発明に係るフード１は、硬質塩化ビニールやアクリル等の樹脂、金属、ガラス、陶器、炭素繊維等を含む一定の強度・剛性を有する材質で形成することができ、必要に応じて骨組み等で補強し、水圧に耐えられる構造とすることが好ましい。
【符号の説明】
【０１０１】
１、１ａ、１ｂ、１ｃ、１ｄ  …  …  フード
２、２ａ、２ｂ、２ｃ、２´  …  …  排水管
３  …  …  沈殿池
４  …  …  排水トラフ
５  …  …  ポンプ
６  …  …  散気管
７  …  …  障壁
８  …  …  障壁
９  …  …  網部
１１  …  …  天壁
１２、１２ａ、１２ｂ、１２ｃ、１２ｄ  …  …  側壁
１３  …  …  羽根部
１４、１４ａ、１４ｂ、１４ｃ、１４ｄ、１４ｅ、１４ｆ
…  …  流路集合体
１５、１５ａ、１５ｂ、１５ｃ  …  …  側壁
１６、１６ａ、１６ｂ、１６ｃ、１６ｄ  …  …  仕切り
１７  …  …  ブロック状部材
１８  …  …  天面
１９  …  …  垂直面
２１、２１´  …  …  排水管
２２、２２ａ、２２ｂ  …  …  排水弁
２３、２３ａ、２３ｂ  …  …  排出口
２４、２４ａ、２４ｂ、２４´  …  …  空気抜き管
２５、２５ａ、２５ｂ  …  …  空気抜き弁
２６、２６ａ、２６ｂ  …  …  排気口
２７、２７ａ、２７ｂ、２７ｃ  …  …  排水管
２８  …  …  排水管
２９  …  …  集水部
１０１  …  …  空間
１０２  …  …  隙間
１０３  …  …  隙間
１０４  …  …  開口部
１１１、１１１´  …  …  排出孔
１１２  …  …  取り込み口
１１３  …  …  周縁
１１４  …  …  内壁面
１１５  …  …  上辺部
１１６  …  …  下辺部
１１７  …  …  左右辺部
１１８  …  …  開口部
１１９  …  …  仕切り板
１４１、１４１ａ、１４１ｂ、１４１ｃ、１４１ｄ  …  …  上部開口
１４２、１４２ａ、１４２ｂ、１４２ｃ、１４２ｄ  …  …  下部開口
１４３  …  …  固定部材
１４４  …  …  仕切り板
１４５  …  …  ブロック状部材
１４６  …  …  縦孔部
１４７  …  …  仕切り板
１４８  …  …  フィン
１４９  …  …  フィン
１５１  …  …  底辺
２０１  …  …  開口部
２０２、２０２ａ、２０２ｂ、２０２ｃ  …  …  キャップ部
２７１ａ、２７１ｂ  …  …  開口部
２９１  …  …  開口
２９２  …  …  内管部
２９３  …  …  連結部
２９４  …  …  底部    
Ｗ、Ｗ１、Ｗ２  …  …  水面  
【図１】
2019187355.tif 000003
【図２】
2019187355.tif 000004
【図３】
2019187355.tif 000005
【図４】
2019187355.tif 000006
【図５】
2019187355.tif 000007
【図６】
2019187355.tif 000008
【図７】
2019187355.tif 000009
【図８】
2019187355.tif 000010
【図９】
2019187355.tif 000011
【図１０】
2019187355.tif 000012
【図１１】
2019187355.tif 000013
【図１２】
2019187355.tif 000014
【図１３】
2019187355.tif 000015
【図１４】
2019187355.tif 000016
【図１５】
2019187355.tif 000017
【図１６】
2019187355.tif 000018
【図１７】
2019187355.tif 000019
【図１８】
2019187355.tif 000020
【図１９】
2019187355.tif 000021
【図２０】
2019187355.tif 000022
【図２１】
2019187355.tif 000023
【図２２】
2019187355.tif 000024
【図２３】
2019187355.tif 000025
【図２４】
2019187355.tif 000026
【図２５】
2019187355.tif 000027
【図２６】
2019187355.tif 000028
【図２７】
2019187355.tif 000029
【図２８】
2019187355.tif 000030
【図２９】
2019187355.tif 000031
【図３０】
2019187355.tif 000032
【図３１】
2019187355.tif 000033
【図３２】
2019187355.tif 000034
【図３３】
2019187355.tif 000035
【図３４】
2019187355.tif 000036
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
沈殿池の水中に設置され、下方が開放されるとともにその内部には水を収容する空間を有し、その内壁面の少なくとも一部が下方側に面して傾斜するように形成されたフードを備え、該フードの頂部ないし頂部付近には該フード内に取り込んだ水を排水する排水管を備えた水中及び水面の沈降物・浮遊物除去装置であって、該フードは、その頂部には排出孔を、下部には下方へ開放された取り込み口をそれぞれ備え、該取り込み口の周縁より該排出孔へと収斂しながら延伸する天壁を備え、該フード内の空間と連通するように該排出孔に連接された排水管とを備え、該フードには、フード内の空間を水平方向に分割するとともに、上下方向に延伸する流路集合体を設けたことを特徴とする水中及び水面の沈降物・浮遊物除去装置。
【請求項２】
前記天壁の下端より下方へ側壁が連設されていることを特徴とする請求項１に記載の水中及び水面の沈降物・浮遊物除去装置。
【請求項３】
前記側壁の下端からフードの外側へ傾斜して延伸する羽根部が連設されていることを特徴とする請求項１または２に記載の水中及び水面の沈降物・浮遊物除去装置。
【請求項４】
沈殿池の水中に設置され、下方が開放されるとともにその内部には水を収容する空間を有し、その内壁面の少なくとも一部が下方側に面して傾斜するように形成されたフードを備え、該フードの頂部ないし頂部付近には該フード内に取り込んだ水を排水する排水管を備えた水中及び水面の沈降物・浮遊物除去装置であって、該フードは、下辺部へ向けて互いに離間しながら延在するように上辺部において連設された一対の天壁を有し、該天壁の左右両辺部には、該連設部から所定の高さまで形成された側壁を備え、該連設部に沿って延在し、その周壁に開口部が形成されるとともにその両端部が前記側壁を貫通してフード外に突出する排水管とを備えた水中及び水面の沈降物・浮遊物除去装置。
【請求項５】
前記排水管の一方もしくは両方の端部には、開口を閉塞するためのキャップ部が設けられていることを特徴とする請求項４に記載の水中及び水面の沈降物・浮遊物除去装置。
【請求項６】
複数の前記フードを上下に重ねて設け、上部のフードはその下方に配置されたフードと排水管により連結されていることを特徴とする請求項１ないし５のいずれかに記載の水中及び水面の沈降物・浮遊物除去装置。
【請求項７】
沈殿池の水中に設置され、下方が開放されるとともにその内部には水を収容する空間を有し、その内壁面の少なくとも一部が下方側に面して傾斜するように形成されたフードを備え、該フードの頂部ないし頂部付近には該フード内に取り込んだ水を排水する排水管を備えた水中及び水面の沈降物・浮遊物除去装置であって、複数の前記フードを上下に重ねて設け、上部のフードはその下方に配置されたフードと複数の排水管により連結され、該複数の排水管は連接される各フードにそれぞれ直結されていることを特徴とする水中及び水面の沈降物・浮遊物除去装置。
【請求項８】
上下のフードを連結する前記排水管には開口部が形成されていることを特徴とする請求項６に記載の水中及び水面の沈降物・浮遊物除去装置。
【請求項９】
前記フードには、フード内の空間を水平方向に分割するとともに、上下方向に延伸する流路集合体を設けたことを特徴とする請求項４ないし８のいずれかに記載の水中及び水面の沈降物・浮遊物除去装置。
【請求項１０】
前記流路集合体は仕切り板で区画形成された複数の流路であり、該仕切り板とフードの側壁には横方向に突出するフィンが設けられていることを特徴とする請求項１または９に記載の水中及び水面の沈降物・浮遊物除去装置。
【請求項１１】
前記フードの下方あるいは内部に散気管を設けたことを特徴とする請求項１ないし１０のいずれかに記載の水中及び水面の沈降物・浮遊物除去装置。
【請求項１２】
沈殿池の水中に設置され、下方が開放されるとともにその内部には水を収容する空間を有し、その内壁面の少なくとも一部が下方側に面して傾斜するように形成されたフードを備え、該フードの頂部ないし頂部付近には該フード内に取り込んだ水を排水する排水管を備えた水中及び水面の沈降物・浮遊物除去装置であって、下向きの前記フードと上向きの前記フードを、所定の間隔を空けて互いに対向するように設けたことを特徴とする水中及び水面の沈降物・浮遊物除去装置。
【請求項１３】
前記下向きのフードと前記上向きのフードは流路集合体を備え、対向するフードとフードの間の水の流路は高さ方向に蛇行するように形成されていることを特徴とする請求項１２に記載の水中及び水面の沈降物・浮遊物除去装置。
【請求項１４】
前記下向きのフードと前記上向きのフードは流路集合体を備え、下向きのフードと上向きのフードの流路集合体に対してその上部と下部とが固定された排水管により互いに連結されていることを特徴とする請求項１２または１３に記載の水中及び水面の沈降物・浮遊物除去装置。
【請求項１５】
沈殿池の水中に設置され、下方が開放されるとともにその内部には水を収容する空間を有し、その内壁面の少なくとも一部が下方側に面して傾斜するように形成されたフードを備え、該フードの頂部ないし頂部付近には該フード内に取り込んだ水を排水する排水管を備えた水中及び水面の沈降物・浮遊物除去装置であって、フード内部の空間には複数の開口部を有する集水部を備え、該集水部は、その上端部において前記排水管内において延伸するように設けられている内管部に連接されていることを特徴とする水中及び水面の沈降物・浮遊物除去装置。
【請求項１６】
複数の前記フードを水の流れに対して前後方向に複数連続して設置したことを特徴とする請求項１ないし１５のいずれかに記載の水中及び水面の沈降物・浮遊物除去装置。
【請求項１７】
複数の前記フードを平面視で縦方向、横方向、斜め方向に連続する升目状に設置したことを特徴とする請求項１ないし１６のいずれかに記載の水中及び水面の沈降物・浮遊物除去装置。
【国際調査報告】
2019187355.tif 000037
2019187355.tif 000038
2019187355.tif 000039
2019187355.tif 000040